(57)【要約】  本発明は自動的にインスタントメッセージング情報を削除するための方法を開示する。方法は、情報送信端末により、送信機のユーザからの自動削除コマンドを受信し、送信すべき情報内にコマンドを格納し、情報を送信するステップと；情報受信端末により、情報を受信して再生または表示し、情報が自動削除コマンドを格納するか否かを判定し、情報が自動削除コマンドを格納する場合、情報を自動的に削除するステップとを有する。本発明によれば、情報受信端末が情報を受信して再生した後、情報送信端末のユーザのコマンドに従って、情報が自動的に削除される。
2015500519.tif 000002
【特許請求の範囲】
【請求項１】
インスタントメッセージング情報を自動的に削除する方法であって、
情報送信端末により、送信機のユーザからの自動削除コマンドを受信し、送信すべき情報内に前記コマンドを格納し、前記情報を送信するステップと、
情報受信端末により、前記情報を受信して再生または表示し、前記情報が前記自動削除コマンドを格納するか否かを判定し、前記情報が前記自動削除コマンドを格納する場合には、自動的に前記情報を削除するステップと、
を含む方法。
【請求項２】
請求項１に記載の方法であって、
前記情報送信端末によって、送信すべき情報内に前記自動削除コマンドを格納するステップが、前記情報内のフラグの値を設定するステップを含み、
前記情報受信端末によって、前記情報が前記自動削除コマンドを格納するか否かを判定するステップが、前記情報内のフラグの値が、前記情報送信端末と前記情報受信端末との間に確立された通信プロトコルに従って予め設定された値であるか否かを判定し、肯定の場合、前記情報が前記自動削除コマンドを格納すると判定するステップを含む、
方法。
【請求項３】
請求項１に記載の方法であって、さらに、
前記情報が前記自動削除コマンドを格納すると前記情報受信端末が判定した後であって、かつ、前記情報が削除される前に、前記情報を削除することに同意するか否かの選択を前記情報受信端末のユーザに通知し、前記情報受信端末の前記ユーザから削除同意コマンドを受信した後、前記情報を削除するステップ、
を含む方法。
【請求項４】
請求項１に記載の方法であって、
自動的に前記情報を削除するステップが、
前記情報が再生または表示された直後に前記情報を削除するステップ、または、
前記情報が再生または表示された後の予め設定された時間間隔後に前記情報を削除するステップ、
を含む方法。
【請求項５】
請求項１に記載の方法であって、
前記情報は、テキスト情報、音声情報、映像情報、および、画像情報の一つである、
方法。
【請求項６】
インスタントメッセージング情報を自動的に削除するためのインスタント通信システムであって、
情報送信端末のユーザからの自動削除コマンドを受信し、送信すべき情報内に前記コマンドを格納し、前記情報を送信する情報送信端末と、
前記情報を受信して再生または表示し、前記情報が前記自動削除コマンドを格納するか否かを判定し、前記情報が前記自動削除コマンドを格納する場合には、自動的に前記情報を削除する情報受信端末と、
を有するインスタント通信システム。
【請求項７】
請求項６に記載のインスタント通信システムであって、
前記情報送信端末は、前記情報内のフラグの値を設定することにより前記情報内に前記コマンドを格納し、
前記情報受信端末は、前記情報内のフラグの値が、前記情報送信端末と前記情報受信端末との間に確立された通信プロトコルに従って予め設定された値であるか否かを判定することにより、前記情報が前記自動削除コマンドを格納するか否かを判定し、肯定の場合、前記情報が前記自動削除コマンドを格納すると判定する、
インスタント通信システム。
【請求項８】
請求項６に記載のインスタント通信システムであって、
前記情報受信端末が、さらに、
前記情報が前記自動削除コマンドを格納すると前記情報受信端末が判定した後に、前記情報を削除することに同意するか否かの選択を前記情報受信端末のユーザに通知し、
前記情報受信端末の前記ユーザから削除同意コマンドを受信した後に、前記情報を削除する、
インスタント通信システム。
【請求項９】
請求項６に記載のインスタント通信システムであって、
前記情報受信端末は、前記情報が再生または表示された直後に前記情報を削除することによって、または、前記情報が再生または表示された後の予め設定された時間間隔後に前記情報を削除することによって、自動的に前記情報を削除する、
インスタント通信システム。
【請求項１０】
請求項６に記載のインスタント通信システムであって、
前記情報は、テキスト情報、音声情報、映像情報、および、画像情報の一つである、
インスタント通信システム。
【発明の詳細な説明】
【技術分野】
【０００１】
本発明は移動通信に関し、特に、自動的にインスタントメッセージング（IM）情報を削除するための方法及びシステムに関する。
【背景技術】
【０００２】
現在の移動通信技術では、いわばテキスト、画像、音声、または、ビデオなどのような形態での、情報が、IMツールを介して移動体通信装置間で送信される。トラフィックの消費が少しだけのため、それは、ユーザの支持を得ている。
【発明の概要】
【発明が解決しようとする課題】
【０００３】
しかしながら、送信機が情報を送信した後、ユーザは情報の制御を失い、情報を削除することができない。情報を削除する必要がある場合、情報は、受信者によって手動で削除されなければならない。そうでなければ、情報は、受信者の移動体通信装置に保存される。上記に鑑みて、重要な情報が存在する場合、タイムリーに、受信者が情報を削除し忘れた場合は、情報またはプライバシーが容易に漏洩してしまう。
【０００４】
本発明は、情報受信端末が情報を受信して再生した後、情報送信端末のユーザの指示に従って、情報受信端末が情報を削除できるような、自動的にIM情報を削除するための方法およびシステムを提供する。
【課題を解決するための手段】
【０００５】
本発明における技術的解決手段は、下記のように実装される。
【０００６】
インスタントメッセージング情報を自動的に削除する方法は：
情報送信端末により、送信機のユーザからの自動削除コマンドを受信し、送信すべき情報内にコマンドを格納（carry）し、情報を送信するステップと；
情報受信端末により、情報を受信して再生または表示し、情報が自動削除コマンドを格納するか否かを判定し、情報が自動削除コマンドを格納する場合、情報を自動的に削除するステップと、を有する。
【０００７】
インスタントメッセージング情報を自動的に削除するためのインスタント通信システムは：
情報送信端末のユーザからの自動削除コマンドを受信し、送信すべき情報内にコマンドを格納し、情報を送信する情報送信端末と；
情報を受信して再生または表示し、情報が自動削除コマンドを格納するか否かを判定し、情報が自動削除コマンドを格納する場合は、自動的に情報を削除する情報受信端末と、を有する。
【発明の効果】
【０００８】
本発明により提供される、自動的にIM情報を削除するための方法及びシステムでは、送信機のユーザによって設定された自動削除コマンドが情報に追加される。これにより、情報が情報受信端末に到着した後に、情報を自動的に削除することができる。
【図面の簡単な説明】
【０００９】
技術的な解決手段を明確に説明するために、下記のとおり、図面が導入される。明らかに、下記に説明される図面は、本発明の例示のためのものである。創作的作業をすることがないという前提の下で、当業者は他の図面を得ることもできる。
【図１】本発明の実施形態に従って、情報を送信する方法を示すフローチャートである。
【図２】本発明の実施形態に従って、情報を受信し、削除する方法を示すフローチャートである。
【図３】本発明の実施形態に従って、自動的に情報を削除するためのIMシステムの構成を示す構成図である。
【発明を実施するための形態】
【００１０】
本発明の技術的な構成と効果とを明確にするために、添付の図面及び実施形態を参照しながら、本発明は以下に詳細に説明される。
【００１１】
本発明の実施形態において提供される、自動的にIM情報を削除するための方法は：
情報送信端末により、情報送信端末のユーザからの自動削除コマンドを受信し、送信すべき情報内にコマンドを格納し、情報を送信するステップと；
情報受信端末により、情報を受信して再生または表示し、情報が自動削除コマンドを格納するか否かを判定し、格納する場合、自動的に情報を削除するステップと、
を含む。
【００１２】
上記方法において、情報送信端末により、送信すべき情報内にコマンドを格納するステップは、情報内のフラグの値を設定するステップを含む。
【００１３】
したがって、情報受信端末により、情報が自動削除コマンドを格納するか否か判定するステップは、情報内のフラグの値が、情報送信端末と情報受信端末との間に確立された通信プロトコルに従って予め設定された値であるか否かを判定し、肯定の場合、情報が自動削除コマンドを格納すると判定するステップを含む。
【００１４】
加えて、自動削除コマンドが情報内に格納されていると情報受信端末が判定した後であり、かつ、情報が削除される前に、前記方法は、さらに：情報を削除することにユーザが同意するか否かの選択を情報受信端末のユーザに通知し、情報受信端末のユーザからの削除同意コマンドが受信された後に、情報を削除するステップを含んでもよい。
【００１５】
前記情報受信端末は、情報が再生または表示された直後に情報を削除する；または、情報が再生または表示された後の予め設定された時間間隔後に情報を削除する、などの、いくつかの方法で、情報を削除することができる。
【００１６】
上記の情報は、音声情報、テキスト情報、映像情報、画像情報などの様々な形態の情報であってもよい。上記の情報送信端末と前記情報受信端末とは、スマートフォン、フラットコンピュータ、ノートブックコンピュータなどであってもよい。情報は、IMツールによって構成された通信プロトコルに従って、情報送信端末と情報受信端末との間で送信されてもよい。また、情報、情報送信端末、および、情報受信端末の形態は、本発明において限定されるものではない。
【００１７】
詳細な説明のために、以下のように実施形態が説明される。
【００１８】
説明のため、実施形態の手順が2つの段階に分けられる。第一段階は、情報送信端末が情報を送信する処理である。第二段階は、情報受信端末が情報を受信し、自動的に情報を削除する処理である。
【００１９】
＜第一段階＞
図1は、情報を送信する方法を示すフローチャートである。この方法は、以下のステップを含む。
【００２０】
ステップ101において、情報送信端末は、送信すべき情報の準備をする。フラグbAutoDestroyの値が情報内に設定される。ここで、bAutoDestroyの値は偽（False）に設定される。
【００２１】
ステップ102において、情報送信端末のユーザが自動削除コマンドを送信したか否かを判定する。コマンドが送信されている場合は、ステップ103に進む。そうでない場合、bAutoDestroyの値は偽に設定されたまま、次いでステップ104に進む。
【００２２】
ステップ103において、bAutoDestroyの値は真（True）に設定される。
ステップ104において、情報が送信される。
【００２３】
＜第二段階＞
図2は、本発明の実施形態に従って、自動的に情報を受信して情報を削除する方法を示すフローチャートである。この方法は、以下のステップを含む。
【００２４】
ステップ201において、情報受信端末は、情報を受信する。
ステップ202において、情報受信端末は、情報を再生または表示する。
【００２５】
ステップ203において、フラグbAutoDestroyの値が真であるか否かが判定される。 bAutoDestroyの値が真の場合、情報が再生または表示された直後に情報が削除される、または、情報が再生または表示された後の予め設定された時間間隔後に情報が削除される。bAutoDestroyの値が偽の場合、処理は終了する。
【００２６】
本発明の別の実施形態においては、bAutoDestroyの値が真であると情報受信端末が判定した後、情報受信端末のユーザに、情報を削除することにユーザが同意するか否かの選択が通知される（通知の方法には、画像、音声などのように、様々な方法がある。）。情報受信端末のユーザからの削除同意コマンドが受信された後、情報が削除される。情報受信端末のユーザからの削除同意コマンドが受信されない場合、情報は一時的に保存されてもよい。
【００２７】
図3に示されるように、本発明により提供される、自動的に情報を削除するための通信システム30は：
情報送信端末31のユーザからの自動削除コマンドを受信し、送信すべき情報内にコマンドを格納し、情報を送信する情報送信端末31と；
情報を受信して再生または表示し、情報が自動削除コマンドを格納するか否かを判定し、情報が自動削除コマンドを格納する場合には、自動的に情報を削除する情報受信端末32と、を含む。
【００２８】
情報送信端末31が送信すべき情報内にコマンドを格納するとき、情報送信端末31は、情報内のフラグの値を設定する。
【００２９】
従って、情報受信端末32は、情報内のフラグの値が、情報送信端末31と情報受信端末32との間に確立された通信プロトコルに従って予め設定された値であるか否かを判定することにより、情報が自動削除コマンドを格納するか否かを判定する。情報内のフラグの値が予め設定された値である場合、情報が自動削除コマンドを格納すると判定される。
【００３０】
上記情報受信端末32は、さらに、情報が自動削除コマンドを格納すると判定した後、情報を削除することにユーザが同意するか否かの選択を、情報受信端末32のユーザに通知し、情報受信端末32のユーザからの削除同意コマンドが受信された後、情報を削除する。
【００３１】
上記システムにおいて、受信情報端末32が自動的に情報を削除するとき、情報受信端末32は、情報が再生または表示された直後に情報を削除する、または、情報が再生または表示された後の予め設定された時間間隔後に情報を削除する。
【００３２】
上記情報は、テキスト情報、音声情報、映像情報、および、画像情報のいずれか一つであってもよい。
【００３３】
上記より、本発明により、自動的にインスタントメッセージング情報を削除するための方法およびシステムが提供されることが分かる。情報送信端末のユーザによって構成された自動削除コマンドを情報に追加することにより、情報受信端末に情報が到着した後、情報を自動的に削除することができる。さらに、情報が削除される前に、まず、情報受信端末のユーザの同意を得ることもできる。
【００３４】
上記は単なる本発明の好ましい実施形態であり、本発明の保護範囲はこれらの実施形態に限定されるものではない。本発明によって開示される技術的範囲において成されうる、当業者による、任意の改善及び置換は、本発明の保護範囲に含まれるべきである。従って、本発明の保護範囲は、特許請求の範囲によって決定されるべきである。
【産業上の利用可能性】
【００３５】
本発明により、自動的にインスタントメッセージング情報を削除するための方法およびシステムが提供される。情報送信端末のユーザによって構成された自動削除コマンドを情報に追加することにより、情報受信端末に情報が到着した後、情報を自動的に削除することができる。さらに、情報が削除される前に、まず、情報受信端末のユーザの同意を得ることもできる。
【符号の説明】
【００３６】
３０  通信システム
３１  情報送信端末
３２  情報受信端末
【図１】
2015500519.tif 000003
【図２】
2015500519.tif 000004
【図３】
2015500519.tif 000005
【手続補正書】
【提出日】平成26年5月16日(2014.5.16)
【手続補正１】
【補正対象書類名】特許請求の範囲
【補正対象項目名】全文
【補正方法】変更
【補正の内容】
【特許請求の範囲】
【請求項１】
インスタントメッセージング情報を自動的に削除する方法であって、
情報送信端末により、送信機のユーザからの自動削除コマンドを受信するステップと、
前記情報送信端末により、送信すべき情報内に前記コマンドを格納するステップと、
前記情報送信端末により、前記情報を送信するステップと、
情報受信端末により、前記情報を受信するステップと、
前記情報受信端末により、前記情報を再生または表示するステップと、
前記情報受信端末により、前記情報が前記自動削除コマンドを格納するか否かを判定し、前記情報が前記自動削除コマンドを格納する場合には、自動的に前記情報を削除するステップと、
を含む方法。
【請求項２】
請求項１に記載の方法であって、
前記情報送信端末によって、送信すべき情報内に前記自動削除コマンドを格納するステップが、前記情報内のフラグの値を設定するステップを含み、
前記情報受信端末によって、前記情報が前記自動削除コマンドを格納するか否かを判定するステップが、前記情報内のフラグの値が、前記情報送信端末と前記情報受信端末との間に確立された通信プロトコルに従って予め設定された値であるか否かを判定し、肯定の場合、前記情報が前記自動削除コマンドを格納すると判定するステップを含む、
方法。
【請求項３】
請求項１に記載の方法であって、さらに、
前記情報が前記自動削除コマンドを格納すると前記情報受信端末が判定した後であって、かつ、前記情報が削除される前に、前記情報を削除することに同意するか否かの選択を前記情報受信端末のユーザに通知するステップ、
を含む方法。
【請求項４】
請求項３に記載の方法であって、
前記自動的に前記情報を削除するステップが、
前記情報受信端末の前記ユーザから削除同意コマンドを受信した後、前記情報を削除するステップ、
を含む方法。
【請求項５】
請求項１に記載の方法であって、
自動的に前記情報を削除するステップが、
前記情報が再生または表示された直後に前記情報を削除するステップ、または、
前記情報が再生または表示された後の予め設定された時間間隔後に前記情報を削除するステップ、
を含む方法。
【請求項６】
請求項１に記載の方法であって、
前記情報は、テキスト情報、音声情報、映像情報、および、画像情報の一つである、
方法。
【請求項７】
情報を受信し、情報を自動的に削除する方法であって、
情報受信端末により、情報を受信するステップと、
前記情報受信端末により、前記情報を再生または表示するステップと、
前記情報受信端末により、前記情報が情報送信端末のユーザからの自動削除コマンドを格納するか否かを判定し、前記情報が前記自動削除コマンドを格納する場合には、自動的に前記情報を削除するステップと、
を含む方法。
【請求項８】
請求項７に記載の方法であって、
前記情報受信端末によって、前記情報が前記自動削除コマンドを格納するか否かを判定するステップが、前記情報内のフラグの値が、前記情報送信端末と前記情報受信端末との間に確立された通信プロトコルに従って予め設定された値であるか否かを判定し、肯定の場合、前記情報が前記自動削除コマンドを格納すると判定するステップを含み、前記フラグの値が前記情報送信端末により設定されている、
方法。
【請求項９】
請求項７に記載の方法であって、さらに、
前記情報が前記自動削除コマンドを格納すると前記情報受信端末が判定した後であって、かつ、前記情報が削除される前に、前記情報を削除することに同意するか否かの選択を前記情報受信端末のユーザに通知するステップ、
を含む方法。
【請求項１０】
請求項９に記載の方法であって、
前記自動的に前記情報を削除するステップが、
前記情報受信端末の前記ユーザから削除同意コマンドを受信した後、前記情報を削除するステップ、
を含む方法。
【請求項１１】
請求項７に記載の方法であって、
自動的に前記情報を削除するステップが、
前記情報が再生または表示された直後に前記情報を削除するステップ、または、
前記情報が再生または表示された後の予め設定された時間間隔後に前記情報を削除するステップ、
を含む方法。
【請求項１２】
インスタントメッセージング情報を自動的に削除するためのインスタント通信システムであって、
情報送信端末のユーザからの自動削除コマンドを受信し、送信すべき情報内に前記コマンドを格納し、前記情報を送信する情報送信端末と、
前記情報を受信し、前記情報を再生または表示し、前記情報が前記自動削除コマンドを格納するか否かを判定し、前記情報が前記自動削除コマンドを格納する場合には、自動的に前記情報を削除する情報受信端末と、
を有するインスタント通信システム。
【請求項１３】
請求項１２に記載のインスタント通信システムであって、
前記情報送信端末は、前記情報内のフラグの値を設定し、
前記情報受信端末は、前記情報内のフラグの値が、前記情報送信端末と前記情報受信端末との間に確立された通信プロトコルに従って予め設定された値であるか否かを判定し、肯定の場合、前記情報が前記自動削除コマンドを格納すると判定する、
インスタント通信システム。
【請求項１４】
請求項１２に記載のインスタント通信システムであって、
前記情報受信端末が、さらに、
前記情報が前記自動削除コマンドを格納すると前記情報受信端末が判定した後に、前記情報を削除することに同意するか否かの選択を前記情報受信端末のユーザに通知し、
前記情報受信端末の前記ユーザから削除同意コマンドを受信した後に、前記情報を削除する、
インスタント通信システム。
【請求項１５】
請求項１２に記載のインスタント通信システムであって、
前記情報受信端末は、前記情報が再生または表示された直後に前記情報を削除する、または、前記情報が再生または表示された後の予め設定された時間間隔後に前記情報を削除する、
インスタント通信システム。
【請求項１６】
請求項１２に記載のインスタント通信システムであって、
前記情報は、テキスト情報、音声情報、映像情報、および、画像情報の一つである、
インスタント通信システム。
【請求項１７】
情報受信端末であって、
情報受信端末により、情報を受信するステップと、
前記情報受信端末により、前記情報を再生または表示するステップと、
前記情報受信端末により、前記情報が情報送信端末のユーザからの自動削除コマンドを格納するか否かを判定し、前記情報が前記自動削除コマンドを格納する場合には、自動的に前記情報を削除するステップと、
を有する方法を実行するように構成された情報受信端末。
【請求項１８】
請求項１７に記載の情報受信端末であって、
前記情報受信端末によって、前記情報が前記自動削除コマンドを格納するか否かを判定するステップが、前記情報内のフラグの値が、前記情報送信端末と前記情報受信端末との間に確立された通信プロトコルに従って予め設定された値であるか否かを判定し、肯定の場合、前記情報が前記自動削除コマンドを格納すると判定するステップを含み、前記フラグの値が前記情報送信端末により設定されている、
方法を実行するように構成された情報受信端末。
【請求項１９】
請求項１７に記載の情報受信端末であって、さらに、
前記情報が前記自動削除コマンドを格納すると前記情報受信端末が判定した後であって、かつ、前記情報が削除される前に、前記情報を削除することに同意するか否かの選択を前記情報受信端末のユーザに通知し、前記情報受信端末の前記ユーザから削除同意コマンドを受信した後、前記情報を削除するステップ、
を有する方法を実行するように構成された情報受信端末。
【請求項２０】
請求項１７に記載の情報受信端末であって、
前記情報が再生または表示された直後に前記情報を削除するステップ、または、
前記情報が再生または表示された後の予め設定された時間間隔後に前記情報を削除するステップ、
を有する方法を実行するように構成された情報受信端末。
【手続補正２】
【補正対象書類名】明細書
【補正対象項目名】０００６
【補正方法】変更
【補正の内容】
【０００６】
インスタントメッセージング情報を自動的に削除する方法は：
情報送信端末により、送信機のユーザからの自動削除コマンドを受信するステップと、
前記情報送信端末により、送信すべき情報内にコマンドを格納（carry）するステップと、
前記情報送信端末により、情報を送信するステップと；
情報受信端末により、情報を受信するステップと、
前記情報受信端末により、情報を再生または表示するステップと、
前記情報受信端末により、情報が自動削除コマンドを格納するか否かを判定し、情報が自動削除コマンドを格納する場合、情報を自動的に削除するステップと、を有する。
【手続補正３】
【補正対象書類名】明細書
【補正対象項目名】０００７
【補正方法】変更
【補正の内容】
【０００７】
インスタントメッセージング情報を自動的に削除するためのインスタント通信システムは：
情報送信端末のユーザからの自動削除コマンドを受信し、送信すべき情報内にコマンドを格納し、情報を送信する情報送信端末と；
情報を受信し、情報を再生または表示し、情報が自動削除コマンドを格納するか否かを判定し、情報が自動削除コマンドを格納する場合は、自動的に情報を削除する情報受信端末と、を有する。
【手続補正４】
【補正対象書類名】明細書
【補正対象項目名】００１４
【補正方法】変更
【補正の内容】
【００１４】
加えて、自動削除コマンドが情報内に格納されていると情報受信端末が判定した後であり、かつ、情報が削除される前に、前記方法は、さらに：情報を削除することにユーザが同意するか否かの選択を情報受信端末のユーザに通知するステップを含んでもよい。その後、情報受信端末は、情報受信端末のユーザからの削除同意コマンドが受信された後に、情報を削除する。
【手続補正５】
【補正対象書類名】明細書
【補正対象項目名】００２７
【補正方法】変更
【補正の内容】
【００２７】
図3に示されるように、本発明により提供される、自動的に情報を削除するための通信システム30は：
情報送信端末31のユーザからの自動削除コマンドを受信し、送信すべき情報内にコマンドを格納し、情報を送信する情報送信端末31と；
情報を受信し、情報を再生または表示し、情報が自動削除コマンドを格納するか否かを判定し、情報が自動削除コマンドを格納する場合には、自動的に情報を削除する情報受信端末32と、を含む。
【国際調査報告】
2015500519.tif 000006
2015500519.tif 000007
2015500519.tif 000008
2015500519.tif 000009